(57)【要約】【課題】  組合せ計量装置のコンベヤおよび装置本体周りの清掃が容易、かつ、十分に行え、しかも、コンベヤ着脱時の取り扱いも容易な計量装置を提供する。【解決手段】  組合せ計量装置１は、鶏肉などの物品を計量するホッパ群２と、計量された物品を所定重量で組み合わせて集合し排出すコンベヤ３とを備えている。このコンベヤ３は、駆動ローラ３０、従動ローラ３１およびこれらローラ３０，３１間に掛け渡されるコンベヤベルト３３、コンベヤベルト３３を支持するベルト支持フレーム３２、一方のローラ支持フレーム３４、他方のローラ支持フレーム３５などを備えており、コンベヤベルト３３をローラ支持フレーム３４，３５およびベルト支持フレーム３２から着脱できるように構成するとともに、ベルト支持フレーム３２をローラ支持フレーム３４，３５間に架設して、ローラ支持フレーム３４，３５から着脱できるように構成する。【選択図】        図１
2006090942.tif 000002
【特許請求の範囲】
【請求項１】
物品を計量するホッパが直線状に配置され、該ホッパで計量された物品の重量を組み合わせて所定重量の物品を該ホッパの下方に設けられたコンベヤで集合させて排出させる組合せ計量装置であって、
前記コンベヤは、その両端部において装置本体に固定され各ローラを支持する複数のローラ支持フレームと、
該複数のローラ支持フレーム間に配置され、物品を搬送するコンベヤベルトを支持するベルト支持フレームとを備え、
前記コンベヤベルトが前記ローラ支持フレームおよびベルト支持フレームから着脱可能であり、かつ、
前記ベルト支持フレームが前記複数のローラ支持フレーム間に架設され、該複数のローラ支持フレームから着脱可能であること
を特徴とする組合せ計量装置。
【請求項２】
請求項１において、
前記ローラ支持フレームは装置本体に片持ちで固定されていることを特徴とする組合せ計量装置。
【請求項３】
請求項１もしくは２において
前記ベルト支持フレームはコンベヤに対して物品搬送方向と平行な方向より着脱可能であることを特徴とする組合せ計量装置。
【請求項４】
請求項１もしくは２において
前記ベルト支持フレームはコンベヤに対して物品搬送方向と直交する方向より着脱可能であることを特徴とする組合せ計量装置。
【発明の詳細な説明】
【技術分野】
【０００１】
本発明は、組合せ計量装置に関する。
【背景技術】
【０００２】
従来より、複数の計量ホッパに食品などの物品を供給してそれぞれ計量し、各計量ホッパによる計量結果に基づいて、目標量に近いか等しい組合せを選定し、この組合せに選定された前記物品を計量ホッパから集合コンベヤに落下排出するようにした組合せ計量装置がある（たとえば、特許文献１参照）。
【０００３】
【特許文献１】特公平８−９４４２６号公報
【０００４】
前記特許文献１の組合せ計量装置のように、食品の組合せ計量に使用されるものは、衛生上の観点から一般に２〜３度の清掃を日常的に行う場合が多い。特に、鶏肉のように油分を多く含む粘着性の高い物品を計量して集合排出する組合せ計量装置では、ホッパや集合コンベヤおよびその周辺の清掃を頻繁に行うことが要求される。このため、特許文献１の組合せ計量装置では、集合コンベヤのコンベヤベルトを着脱可能に構成してある。
【０００５】
コンベヤベルトを着脱可能にすることで、コンベヤベルト自体の清掃が容易になる。しかし、コンベヤベルトを支持しているベルト支持フレームが装置本体側に置き残されるので、ベルト支持フレームの裏面の清掃や該ベルト支持フレーム下側の床面などの装置本体周りの清掃がともに困難であるなどの問題を残している。
【０００６】
一方、集合コンベヤ全体を着脱可能にすることで、集合コンベヤ下側の床面などの装置本体周りの清掃は容易になる。しかし、集合コンベヤの自重は１０Ｋｇを超えるので、着脱時の取り扱いが困難である。また、集合コンベヤの駆動モータは集合コンベヤの長手方向（物品搬送方向）の一端部側に配置されているので、重心が一端部側に偏ることになり、これによって、着脱時の取り扱いを一層困難にしている。
【発明の開示】
【発明が解決しようとする課題】
【０００７】
したがって、本発明の目的は、組合せ計量装置のコンベヤおよび装置本体周りの清掃が容易、かつ、十分に行え、しかも、コンベヤ着脱時の取り扱いも容易な組合せ計量装置を提供することである。
【課題を解決するための手段】
【０００８】
前記目的を達成するために、本発明に係る組合せ計量装置は、物品を計量するホッパが直線状に配置され、該ホッパで計量された物品の重量を組み合わせて所定重量の物品を該ホッパの下方に設けられたコンベヤで集合させて排出させる組合せ計量装置であって、前記コンベヤは、その両端部において装置本体に固定され各ローラを支持する複数のローラ支持フレームと、該複数のローラ支持フレーム間に配置され、物品を搬送するコンベヤベルトを支持するベルト支持フレームとを備え、前記コンベヤベルトが前記ローラ支持フレームおよびベルト支持フレームから着脱可能であり、かつ、前記ベルト支持フレームが前記複数のローラ支持フレーム間に架設され、該複数のローラ支持フレームから着脱可能であることを特徴とする。
【発明の効果】
【０００９】
本発明によれば、コンベヤベルトがローラ支持フレームおよびベルト支持フレームから着脱可能であり、ベルト支持フレームがローラ支持フレームから着脱可能であるため、コンベヤベルトとベルト支持フレーム自体の清掃が容易である。しかも、ベルト支持フレームをローラ支持フレームから取り外すことで、ベルト支持フレーム下側の床面などの装置本体周りの清掃を容易に行うことができる。また、重量の重いローラ支持フレームを装置に残した状態で、軽いベルト支持フレームの着脱が行えることにより、取り扱い重量を軽くできるので、着脱が極めて容易になる。
【発明を実施するための最良の形態】
【００１０】
本発明においては、ローラ支持フレームは装置本体に片持ちで固定されているのが好ましい。この形態によると、邪魔な部材が存在せずに開放されている片持ち固定部位の反対側の広い空間を利用して、コンベヤベルトを容易に着脱することができる。
【００１１】
また、本発明においては、ベルト支持フレームはコンベヤに対して物品搬送方向（コンベヤの長手方向）と平行な方向より着脱可能であってもよい。これによると、ベルト支持フレームの幅方向の移動を規制しやすい。
【００１２】
さらに、本発明においては、ベルト支持フレームはコンベヤに対して物品搬送方向と直交する方向より着脱可能であってもよい。これによると、ベルト支持フレームを装置本体側に預けた状態で、かつ、上下方向の移動を極力抑えた状態で着脱することができる。
【実施例１】
【００１３】
以下、本発明に係る組合せ計量装置の実施例を図面にしたがって説明する。
図１および図２において、組合せ計量装置１は、縦に一列の多数のホッパ群２と、このホッパ群２からの物品を組み合わせて、所定重量の物品を集合させて排出させるコンベヤ３とを備えており、コンベヤ３はホッパ群２の下方に設けられている。
【００１４】
各ホッパ群２は、投入ホッパ２ａと、各投入ホッパ２ａの下方に設けられて、物品を一時的に貯留するプールホッパ２ｂと、各プールホッパ２ｂの下方に設けられて物品の計量を行う計量ホッパ２ｃとを備えており、装置本体４の前側に取付けられている。図１に示すように、前記各ホッパ２ａ，２ｂ，２ｃはそれぞれ左右方向Ｙに直線状に配置されている。なお、投入ホッパ２ａの上方には、該投入ホッパ２ａの上部の開口形状に合致する貫通孔を有する受皿１００が設けられている。
【００１５】
投入ホッパ２ａに投入された物品は、下方のプールホッパ２ｂを経由して計量ホッパ２ｃに供給される。計量ホッパ２ｃには、該計量ホッパ２ｃに供給された物品の重量を検出する重量検出器を備えた計量ヘッド（図示せず）が設けられている。図示しない制御装置は前記各重量検出器で検出された物品の重量を組み合わせて、目標値に近い値とし、当該組合せに参加した計量ホッパ２ｃの物品をコンベヤ３上に落下させる。
【００１６】
コンベヤ３は、図３（ａ），（ｂ）に示すように、駆動ローラ３０、従動ローラ３１およびこれら一対のローラ３０，３１間に掛け渡されたコンベヤベルト３３と、このコンベヤベルト３３を支持するベルト支持フレーム３２と、第１のローラ支持フレーム３４および第２のローラ支持フレーム３５とを備えている。
【００１７】
前記駆動ローラ３０は、第１のローラ支持フレーム３４に回転自在に支持され、該第１のローラ支持フレーム３４は、装置本体４の左端部の前面に固定されている。従動ローラ３１は、第２のローラ支持フレーム３５に回転自在に支持されており、該第２のローラ支持フレーム３５は、装置本体４の右端部の前面に固定されている。第１のローラ支持フレーム３４には駆動モータ３６が取付けられ、この駆動モータ３６によって駆動ローラ３０が回転駆動される。
【００１８】
前記第１のローラ支持フレーム３４は、図４（ａ），（ｂ）に示すように、互いに対向する一対の支持板４１，４２を有する。これらの支持板４１，４２は、第１の支持棒３４ａと第２の支持棒３４ｂとによって前後方向Ｘの間隔が所定の大きさに設定されている。前記一対の支持板４１，４２の左端部間に駆動ローラ３０が回転自在に支持されているとともに、支持板４２の右端部を図示していないボルトなどの締結部材で装置本体４における左端部の下端部前面に着脱可能に締結することで、第１のローラ支持フレーム３４が装置本体４に片持ちで固定されている。
【００１９】
前記第２のローラ支持フレーム３５は、図４（ａ）に示すように、互いに対向する一対の支持板５１，５２を有する。これらの支持板５１，５２は支持棒３５ａと規制棒３５ｂとによって前後方向Ｘの間隔が所定の大きさに設定されている。前記一対の支持板５１，５２の右端部間の内面には、図４（ｃ）の腕板５３，５４が支軸５５を介して該支軸５５の軸まわりでの所定範囲内の回動を可能に配置され、この腕板５３，５４の右端部間に従動ローラ３１が回転自在に支持されている。
【００２０】
前記支持板５２の左端部には複数の横長孔５６が設けられ、これら横長孔５６のそれぞれに図示していないボルトなどの締結部材を挿通し、各締結部材を装置本体４における右端部の下端部前面に締結することで、第２のローラ支持フレーム３５が装置本体４に片持ちで固定されている。一方、前記ボルトなどの締結部材の締結を一旦緩めて、図示しないテンションボルトを操作することにより、第２のローラ支持フレーム３５を左または右方向に少し移動させたのちに、再度、締結部材を締結することで、駆動ローラ３０と従動ローラ３１との間隔（スパン）が調整可能となっており、物品搬送に適したテンションをコンベヤベルト３３に付与できるように、テンション調整が可能に構成されている。
【００２１】
図４（ｃ）に示すように、腕板５３，５４における左端部上端の当接面３５ｃ，３５ｄが下側から規制棒３５ｂの下面に当接していることによって、腕板５３，５４および従動ローラ３１がそれらの自重で支軸５５を回動中心にして右下がりに回動するのが規制され、これによって、腕板５３，５４を水平に保持している。
【００２２】
図１，図３（ａ）に示すように、ベルト支持フレーム３２は、左右のローラ支持フレーム３４，３５間に着脱可能に架設されて物品を搬送するコンベヤベルト３３を支持する。すなわち、ベルト支持フレーム３２は、図５（ａ），（ｂ）に示すように、左右方向Ｙに細長で水平に伸びるベルト支持面３２ｆと、このベルト支持面３２ｆから下向きに折れ曲がって連設され、かつ、互いに対向する一対の側板３２ｓとを備え、これら側板３２ｓの左端部近傍には下向きに開口する係止部３２ａが設けられ、側板３２ｓの右端部には横向きに開口する係止部３２ｂが設けられている。
【００２３】
したがって、ベルト支持フレーム３２は、図１，図３（ａ）に示すように、右側の係止部３２ｂを第２のローラ支持フレーム３５における支持棒３５ａにスライドさせながら挿し込んで係合させたのちに、左側の係止部３２ａを第１のローラ支持フレーム３４における第２の支持棒３４ｂに対して上側から下向きに落とし込んで係合させることで、左右のローラ支持フレーム３４，３５間に着脱可能に架設される。
【００２４】
前記構成の組合せ計量装置１におけるコンベヤ３の清掃手順について説明する。
まず、必要に応じて、図１の各ホッパ２ａ〜２ｃを取り外す。ついで、図３に示す操作レバー５７を矢印Ｒ方向に回動操作することで、水平に保持されている腕板５３，５４を、支軸５５を回動中心にして左上がり（反時計まわり）Ｒに回動させて、図６に示すように、腕板５３，５４を斜めに立ち上げる。これによって、駆動ローラ３０と従動ローラ３１間に掛け渡されているコンベヤベルト３３が緩む。したがって、コンベヤベルト３３を手前（装置本体４から離れる方向）に引き出すことで、ローラ支持フレーム３４，３５およびベルト支持フレーム３２から取り外すことができる。なお、腕板５３，５４を斜め左方向に立ち上げておくことによって、清掃後のコンベヤベルト３３をローラ支持フレーム３４，３５およびベルト支持フレーム３２に取付けることができる。
【００２５】
つぎに、左右のローラ支持フレーム３４，３５間に架設されているベルト支持フレーム３２の左端部を上方に持ち上げて、左側の係止部３２ａと第１のローラ支持フレーム３４における第２の支持棒３４ｂの係合を解いたのちに、ベルト支持フレーム３２を左方向に、かつ、斜め上方に引き上げる。これにより、右側の係止部３２ｂと第２のローラ支持フレーム３５における支持棒３５ａとの係合が解かれて、ベルト支持フレーム３２を左右のローラ支持フレーム３４，３５から取り外すことができる。つまり、ベルト支持フレーム３２はコンベヤ３に対して物品搬送方向（コンベヤ３の長手方向）と平行な方向より取り外すことができる。
【００２６】
このように、ボルトなどの締結具を操作することなくコンベヤベルト３３がローラ支持フレーム３４，３５およびベルト支持フレーム３２から取り外され、更に、ベルト支持フレーム３２がローラ支持フレーム３４，３５から取り外されるので、コンベヤベルト３３とベルト支持フレーム３２自体の清掃を容易に行うことができる。しかも、これらを取り外すことで、図４（ａ）のように床面が大きく露出するから、コンベヤベルト３３およびベルト支持フレーム３２下側の床面などの装置本体４周りの清掃を容易に行うことができる。また、コンベヤベルト３３とベルト支持フレーム３２との取り外しが個別に行えることにより、個々の取り扱い重量を軽くできるので、これらの取り外しが容易になるとともに、清掃後におけるこれらの取付けも容易に行うことができる。
【００２７】
また、ローラ支持フレーム３４，３５は装置本体４に片持ちで固定されているので、邪魔な部材が存在せずに開放されている片持ち固定部位の反対側の広い空間を利用して、コンベヤベルト３３およびベルト支持フレーム３２を容易に取り外すことができるので、取外しの作業性を向上させることができ、清掃後における両者３３、３２の取付けの作業性を向上させることもできる。
【００２８】
さらに、ベルト支持フレーム３２はコンベヤ３に対して物品搬送方向（コンベヤ３の長手方向）Ｙと平行な方向よりローラ支持フレーム３４，３５から取り外すことができるとともに、清掃後においては、コンベヤ３に対して物品搬送方向  （コンベヤ３の長手方向）Ｙと平行な方向よりローラ支持フレーム３４，３５に取付けることができるので、ベルト支持フレーム３２の幅方向Ｘの移動を規制しやすくなる。
【００２９】
前記実施例では、ベルト支持フレーム３２を、コンベヤ３に対して物品搬送方向（コンベヤ３の長手方向）Ｙと平行な方向よりローラ支持フレーム３４，３５から着脱する構成で説明しているが、物品搬送方向に直交する前後方向Ｘより着脱できるように構成してもよい。
【００３０】
すなわち、図７（ａ）に示すように、装置本体４には、その前面から前方に向けて水平に延びる少なくとも一対の支持棒６０を、左右方向Ｙの間隔Ｌを隔てて突設し、これら支持棒６０の先端部に係止溝６１を形成する。
【００３１】
一方、図７（ｂ）に示すように、装置本体４側に位置する奥側の側板３２ｓには、前記左右方向Ｙの間隔Ｌと等しい間隔を隔てて、一対の支持棒６０に係脱可能な一対の逆Ｕ字状の係合用切欠部３７を設ける。また、装置本体４から離れて位置する手前側の側板３２ｓには、前記左右方向Ｙの間隔Ｌと等しい間隔を隔てて、一対の支持棒６０の先端部に形成した係止溝６１に係脱可能な一対の逆Ｕ字状の係合用切欠部３８を設ける。
【００３２】
前記構成のベルト支持フレーム３２は、図８に示すように、一対の逆Ｕ字状の係合用切欠部３７を一対の支持棒６０に上側から係合させるとともに、一対の逆Ｕ字状の係合用切欠部３８を一対の支持棒６０の先端部に形成した係止溝６１に上側から係合させることによって、一対の支持棒６０を跨いだ状態で、該一対の支持棒６０にベルト支持フレーム３２を取付けることができる。この状態で手前側の側板３２ｓを少し持ち上げて、一対の逆Ｕ字状の係合用切欠部３８と係止溝６１との係合を解いて、ベルト支持フレーム３２を手前側に引き出して、該ベルト支持フレーム３２を取り外すことができる。
【００３３】
このように、ベルト支持フレーム３２を手前に引き出すことで、上方に広い空間がなくても着脱することができるようになる。
【００３４】
以上のとおり、図面を参照しながら好適な実施例を説明したが、当業者であれば、本明細書を見て、自明な範囲内で種々の変更および修正を容易に想定するであろう。
たとえば、投入ホッパやプールホッパを有していない組合せ計量装置にも適用できる。  また、プールホッパに供給フィーダから物品を供給する組合せ計量装置にも適用できる。また、コンベヤには、必要に応じて物品の搬送を案内するガイド板や安全棚などを取り外し自在に設けてもよい。
したがって、そのような変更および修正は、請求の範囲から定まる本発明の範囲内のものと解釈される。
【産業上の利用可能性】
【００３５】
本発明は計量ホッパが直線上に配列され下方に集合用のコンベヤを有する組合せ計量装置に利用することができる。
【図面の簡単な説明】
【００３６】
【図１】本発明の組合せ計量装置の一実施例を示す正面図である。
【図２】（ａ）は図１の左側面図、（ｂ）は図１の右側面図である。
【図３】（ａ）はコンベヤを示す正面図、（ｂ）は同平面図である。
【図４】（ａ）は装置本体に対する左右一対のローラ支持フレームの取付け状態を示す平面図、（ｂ）はＡ−Ａ矢視図、（ｃ）はＢ−Ｂ矢視図である。
【図５】（ａ）はベルト支持フレームを示す平面図、（ｂ）は同正面図である。
【図６】コンベヤベルト着脱の前段状態を示すコンベヤの正面図である。
【図７】（ａ）はベルト支持フレーム着脱構造の他の実施例に適用される装置本体側の構成を示す平面図、（ｂ）はベルト支持フレーム着脱構造の他の実施例に適用されるベルト支持フレームの斜視図である。
【図８】（ａ）はベルト支持フレームの他の実施例を示す正面図、（ｂ）は図８（ａ）のＣ−Ｃ線断面図である。
【符号の説明】
【００３７】
１：組合せ計量装置
２ｃ：計量ホッパ
３：コンベヤ
４：装置本体
３０：駆動ローラ（ローラ）
３１：従動ローラ（ローラ）
３２：ベルト支持フレーム
３３：コンベヤベルト
３４：（第１の）ローラ支持フレーム
３５：（第２の）ローラ支持フレーム
【図１】
2006090942.tif 000003
【図２】
2006090942.tif 000004
【図３】
2006090942.tif 000005
【図４】
2006090942.tif 000006
【図５】
2006090942.tif 000007
【図６】
2006090942.tif 000008
【図７】
2006090942.tif 000009
【図８】
2006090942.tif 000010